(57)【要約】      （修正有）【課題】打楽器の中空ボディを開状態と閉状態との間で、相互に移動可能とし、搬送及び保管を容易にする。【解決手段】シェル２に取付けられた打面１３を有し、このシェル２が２つまたは３つ以上であるのが好ましい、互いに入れ子状に共通の平行移動軸線Ｘに沿って移動可能に連結された中空ボディ４を備え、これらの中空ボディは、少なくとも、中空ボディが次の中空ボディを少なくとも部分的に収容する閉状態と、中空ボディがほぼ併置される開状態との間を移動可能である打楽器。【選択図】図１
2010066748.tif 000002
【特許請求の範囲】
【請求項１】
打面とシェルとを有し、この打面がシェルに固定される打楽器であって、前記シェルは少なくとも２つの中空ボディを備え、これらの中空ボディは、少なくとも、１の中空ボディが少なくとも部分的に他方の中空ボディを収容する閉状態と、前記２つの中空ボディが実質的に重なる開状態との間で、共通の平行移動軸線に沿って、相互に移動可能である、打楽器。
【請求項２】
前記中空ボディを前記開状態と閉状態との間で移動するための駆動手段を備える請求項１に記載の打楽器。
【請求項３】
前記中空ボディは、前記閉状態と開状態とを取るために相互に入れ子状に連結される請求項１又は２に記載の打楽器。
【請求項４】
打面の反対側に閉面を設けられた第１の中空ボディと、前記打面を設けられた第２の中空ボディとを備え、これらの２つの中空ボディ間に１又は複数の中央中空ボディが設けられる請求項１から３のいずれか１つに記載の打楽器。
【請求項５】
１の端部中空ボディは、第１端部に位置する環状のアンダーカットを有し、他の端部中空ボディは、前記一の端部中空ボディ内に入れ子状に挿入され、２つの端部中空ボディの最大伸展位置を規定するために、前記アンダーカットに係合可能な環状突起を有し、この最大伸展位置は、前記開状態に一致する、請求項１から４のいずれか１つに記載の打楽器。
【請求項６】
前記中空ボディを閉状態に保持する取付手段を備える請求項１から５のいずれか１つに記載の打楽器。
【請求項７】
前記駆動手段は、前記中空ボディを好ましくは内側から連結し、前記共通の平行移動軸線の回りに、前記中空ボディを個々に回転可能とするために、前記中空ボディに対する回転自由度を有する請求項２に記載の打楽器。
【請求項８】
前記駆動手段は、１の端部中空ボディと第１の当接面との間で作動する第１のスラスタ部材列と、第２の端部中空ボディと第２の当接面との間で作動する第２のスラスタ部材列とを備え、前記第１，第２の当接面は、互いに対向しかつ相互に接触する、請求項７に記載の打楽器。
【請求項９】
スラスタ部材列のそれぞれは、１の端部中空ボディにヒンジ止めされた第１のロッド状部材と、第２のロッド状部材とを有し、前記第２のロッド状部材も、前記当接面上にヒンジ止めされ、前記第１および第２のロッド状部材間に作用する弾性手段が、一方の当接面を他方の当接面に対して押圧する請求項８に記載の打楽器。
【請求項１０】
前記駆動手段は、２つの端部中空ボディに回転可能に取付けられ、パンタグラフ状に実質的に成形された構造体を有する請求項７に記載の打楽器。
【請求項１１】
前記駆動手段は、第１の端部中空ボディに取付けられた第１のサポート部材と、第２の中空ボディに取付けられた第２のサポート部材と、２つのサポート部材間に介挿された弾性部材とを有し、この弾性部材は、共通の平行移動先駆に沿ってサポート部材に対して自由に回転可能である請求項７に記載の打楽器。
【請求項１２】
前記駆動手段は、２つの端部中空ボディに取付けられた複数の入れ子状シリンダを有し、これらの入れ子状シリンダは、完全に伸長する弾性手段を設けられている請求項２に記載の打楽器。
【請求項１３】
前記取付手段は、実質的にＣ字状で、前記中空ボディの１つに対して、中央部に回転可能に取付けられる取付部材を有し、この取付部材は、少なくとも、取付部材が端部中空ボディに係合する保持位置と、取付部材が端部中空ボディに非係合の解放位置との間で移動可能である請求項６に記載の打楽器。
【請求項１４】
前記固定部財は、第１の半部と、この第１の半部に対して摺動可能に連結される第２の半部とを有し、これらの第１の半部と第２の半部とは、それぞれの自由端に、使用時にこの楽器を支持するための支持足を備える請求項１３に記載の打楽器。
【請求項１５】
容積を可変のシェルを有するパーカッションドラムを得るために、互いに入れ子状に連結された中空ボディの使用。
【発明の詳細な説明】
【技術分野】
【０００１】
本発明は、打楽器に関し、特にドラムに関する。
【背景技術】
【０００２】
ドラムは、シェルすなわち中空管状ボディを備え、第１端部を膜で閉じられ、第１端部の反対側の第２端部を非可撓性（non-deformable）材料製のディスク又は他の膜材で閉じられる。
【０００３】
膜、又は２つの膜が設けられる場合は双方の膜が、例えば動物の皮、Mylar（商標）、又は同様な合成又は自然材料で形成される。
【０００４】
２つの膜が設けられる場合には、最初の振動が発生する膜が打膜（beating membrane）と呼ばれ、他方の膜は、発生音の音質に影響を与えることを目的としており、共鳴膜（resonating membrane）と呼ばれる。
【０００５】
シェルは、接触領域内で打膜の振動を収集し、共鳴シリンダとして作用する。
【０００６】
シェルを形成する材料は、楽器の音質を特徴付け、木材等の自然材料でシェルを形成した場合には温かみのある音（warm sound）となり、金属又はプラスチック材料で形成したシェルの場合は、より多くの倍音（harmonics）を含む明りょうな音（brilliant sound）となる。
【０００７】
膜は、フープの周縁部にセットされ、このフープはシェルの外側壁に固定される。フープ上の膜の張力を調整することにより、楽器の調子（intonation）が調整される。
【０００８】
ドラムの作動原理は、上述のように、打面を叩くことにより形成される音波を増幅するために、シェルの容積を利用することを含むものである。
【０００９】
したがって、ドラムの容積および体積は、ミュージシャンが初期の結果を得るための制約となっている。
【００１０】
しかし、体積が大きすぎるときは、ドラムの搬送性および現場での配置のために、ミュージシャンは音質を犠牲にすることを強いられる。
【００１１】
この欠点は、現代音楽の場合のように、楽器が複数のドラムのセットからなる場合は、更に強くなる。
【００１２】
このような事情から、本発明の技術的課題は、上述の欠点のない打楽器を提供することにある。
【発明の概要】
【００１３】
特に、本発明の目的は、使用するときに音質を犠牲にすることなく、搬送および保管を容易に行うことができる打楽器を提供することにある。本発明によると、上述の技術的課題および目的は、１または複数の請求項に記載の技術的特徴を備える打楽器により達成される。
【００１４】
本発明の他の特徴および利点は、例示であり、したがってこれに限定するものではない、添付図面に示すような打楽器の好ましいものであっても排他的ではない実施形態の記載からより容易に明らかとなる。
【図面の簡単な説明】
【００１５】
【図１】本発明の打楽器の第１の作動状態による概略的な断面図。
【図２】図１の打楽器の第２の作動状態を示す図。
【図３】図１の打楽器の第１の変形例の概略的な断面図。
【図４】図１の打楽器の第２の変形例の概略的な断面図。
【図５】図１の打楽器の第３の変形例の概略的な断面図。
【図６】第１の作動状態における図１の打楽器の、図１に示してない細部の図。
【図７】第２の作動状態における図６の細部の図。
【発明を実施するための形態】
【００１６】
添付図面中、符号１は、本発明による打楽器の全体を示す。
【００１７】
添付の図面および以下に詳細に説明する記載は、説明を明確にするために、バスドラムを参照して行うが、しかし、本発明は、打面または打膜を設けられ、増幅シェルを設けられたどのような打楽器についても用いることが可能である。
【００１８】
この打楽器１は、シェル２を備え、これに打面３が取り付けられている。
【００１９】
打面３は、例えば皮である自然材料、または、合成材料で形成された膜で形成された膜、または、他の剛性面であってもよい。
【００２０】
シェル２は、特に、第１端部中空ボディ４ａおよび第２端部中空ボディ４ｂである、少なくとも２つの中空ボディ４を備える。
【００２１】
本発明において、用語「中空ボディ」は、空胴（cavity）を区画する側壁を有するシェルをいう。換言すると、それぞれの中空ボディは、ドラムのシェルである。
【００２２】
好ましくは、それぞれの中空ボディ４は実質的に円筒状形状を有するが、しかし、それぞれの中空ボディは、ドラムシェルとして使用されるのに適した、どのような角柱状（prismatic）シェルとすることができる。中空ボディの他の形状の例に、円錐台状形状がある。
【００２３】
第１端部中空ボディ４ａの一端５は、目的とする打楽器にしたがって、共鳴面６または閉鎖面が取り付けられ、または、この端部５ａを開口させてもよい（添付図面では、共鳴面を示してある）。
【００２４】
第２端部中空ボディ４ｂは、その端部５ａに、上述の打面３が設けられている。
【００２５】
シェル２は、更に、１つ又は複数の中央中空ボディ４ｃを備え、すなわち２つの端部中空ボディ４ａ，４ｂ間に配置される（添付図面には、１つの中央中空ボディ４ｃのみを示してある）。
【００２６】
この中央中空ボディ４ｃは、両端が開口している。中空ボディ４は、少なくとも、中空ボディが他の中空ボディの少なくとも一部又は他の中空ボディ（中空ボディ４の数にしたがって）を収容する１つの閉状態（図２参照）と、中空ボディ４が実質的に併置される開状態（図１参照）との間で、平行移動の共通軸線Ｘに沿って相互に移動可能であることが、有益である。
【００２７】
特に、中空ボディ４は、互いに入れ子状に連結され、平行移動の軸線Ｘに対して横方向に向け、端部中空ボディ４ａから他の端部中空ボディ４ｂに移行するにつれて次第に大きくなる寸法を有する。
【００２８】
このようにして、閉状態では、中空ボディ４は互いに内側に挿入され、それぞれの中空ボディは、これを収容する中空ボディから僅かに突出することもある（図２参照）。
【００２９】
上述のように、開状態では、中空ボディ４は、実質的に併置され、中空ボディ４の入れ子構造により、「実質的に併置され」は、それぞれの中空ボディがより大きな横方向寸法を有する隣接した中空ボディかほぼ完全に外側に突出することを意味することが明らかである（図１参照）。
【００３０】
より大きな横方向寸法を有する端部中空ボディ４ｂは、環状のアンダーカット７すなわち当接リングを有し、共鳴膜６を支える端部５ｂの反対側の端部に沿って延びる（develop）。
【００３１】
上述の端部中空ボディ４ｂ内に入れ子状に挿入された中央中空ボディ４ｃは、開状態（図１参照）で環状アンダーカット７に当接した状態に係合する環状突起８を備える。このようにして、中央中空ボディ４ｃは、端部中空ボディ４ｂから完全に引出されるのが防止される。
【００３２】
中央中空ボディ４ｃは、更に、環状突起８に当接する端部の反対側に位置する環状アンダーカット７を備える。
【００３３】
他の端部中空ボディ４ａは、開状態（図１参照）で中央中空ボディ４ｃの環状アンダーカット７に当接した状態に係合する環状突起８備える。このようにして、端部中空ボディ４ａは、中央中空ボディ４ｃから完全に引出されるのが防止される。
【００３４】
中空ボディ４の全てが、それぞれの環状突起をアンダーカット７に当接させたときに、ドラム１は最大伸張の状態にある。
【００３５】
環状アンダーカット７および環状突起８は、シェル２を気密状態とする必要のある場合には、シール用ガスケットを設けることができる。ドラム１は、開位置と閉状態と少なくとも１の部分開状態との間で、中空ボディ４を移動するための駆動手段９を備える。
【００３６】
駆動手段９は、中空ボディ４に、好ましくはその中すなわちこれで規定される空胴内で連結される。
【００３７】
駆動手段９は、共通の平行移動軸線Ｘの回りでそれぞれ独立して回転可能とするために、中空ボディ４に対して回転自由度を与える。
【００３８】
このようにして、例えば搬送中における中空ボディの他方に対する偶発的な回転で、中空ボディ４または駆動手段９を損傷することがない。
【００３９】
図１および２に示す本発明の好ましい実施形態では、駆動手段９は、端部中空ボディ４ａと第１当接面１１との間で作動するスラスタ部材１０の第１列と、他の端部中空ボディ４ｂと第２当接面１１との間で作動するスラスタ部材１０の第２列とを備える。
【００４０】
２つの当接面１１は互いに向き合い、常時互いに接触する。
【００４１】
２つの当接面１１は、自由にかつ相互に平行移動軸線Ｘの回りを回転できるように、互いに固定されてはいない。
【００４２】
この点について、注目すべきは、２つの当接面１１が、平行移動軸線Ｘに実質的に垂直なそれぞれの平面内に配置されていることである。
【００４３】
好ましくは、少なくともスラスタ部材１０の少なくとも２つ、更に好ましくは、約１２０°の角度で互いに等距離に配置される３つの列が設けられる。これに代え、スラスタ部材１０の４つの列が設けられる。スラスタ部材１０のそれぞれの列は、中空ボディ４ａ，４ｂにヒンジ止めされた第１ロッド状部材１２と、それぞれの当接面にヒンジ止めされた第２ロッド状部材１３とを備える。
【００４４】
２つのロッド状部材１２，１３は、中空ボディおよび当接面１１に直接ヒンジ止めされず、それぞれ付属器１４，１５にヒンジ止めされ、この付属器が端部中空ボディおよび当接面１１に一体化されるのが好ましい。
【００４５】
上述の付属器１４，１５は、中空ボディ４の中心に向けて延び、ドラム１が閉状態となったときに、ロッド状部材１２，１３が打面及び／又は共鳴面に接触し、したがって損傷させるのを防止する。
【００４６】
弾性手段１６が第１２ロッド状部材と第２ロッド状部材１３との間で作用し、当接面１１を他方の当接面１１に向けてかつこれに対して押圧する。
【００４７】
この弾性手段１６は、第１ロット状部材１２と第２ロッド状部材１３との間のヒンジ点に位置するねじりバネで構成するのが好ましい。
【００４８】
スラスタ部材の回転軸すなわちロッド状部材１２，１３がその回りを回転する軸線は、平行移動軸線Ｘに垂直で、当接面１１が載置される面に平行になっている。当接面１１は、フープで具体化されるのが好ましい。
【００４９】
図３に示す本発明の第２の実施形態では、駆動手段９は、実質的にパンタグラフ状の構造体１７を備え、２つの端部中空ボディ４ａ，４ｂに回転可能に取付けられる。
【００５０】
「パンタグラフ構造」の用語は、本発明中では、それぞれの端部を互いに近づけ、かつ離す方向に変形可能に移動するように関節結合された実質的に格子状構造をいう。
【００５１】
特に、パンタグラフ構造体１７は、２つの対向する端部で、それぞれのフープ１８に一体化されている。
【００５２】
このフープ１８は、平行移動軸線Ｘの回りに回転可能で、同軸線Ｘに沿って平行移動しないように、端部中空ボディ４ａ，４ｂに取り付けられている。
【００５３】
図３に示す実施形態では、フープ１８と端部中空ボディ４ａ，４ｂとの間の係合は、端部中空ボディに強固に取付けられたスロット１９で行われ、このスロット内をフープ１８が通過して自由に摺動できる。
【００５４】
このようにして、中空ボディ４は、パンタグラフ構造体を損傷しまたは傷つける（compromising）ことなく、平行移動軸線Ｘの回りを相互に対して自由に回転する。
【００５５】
図４は、駆動手段９の第３の実施形態を示す。
【００５６】
この実施形態では、駆動手段９は、端部中空ボディ４ａに取付けられた第１支持部材２０と、他の端部中空ボディ４ｂに取付けられた第２支持部材２０と、２つの支持部材２０間に介挿された弾性部材２１とを備える。
【００５７】
各支持部材２０は、２つ、好ましくは３つの付属器２０ａを備え、これらの付属器は、第１端部で、端部中空ボディに強固に取り付けられ、第１端部の反対側尾端部で、支持板２２に強固に取付けられる。
【００５８】
支持板２２は、ドラム２の中心に向く開口を有するカップ２３に取付けられる。
【００５９】
上述の弾性部材２１は、２つのカップ２３間に配置され、２つのカップに対して平行移動軸線Ｘの回りを自由に回転する。この弾性部材２１は、線状バネであるのが好ましい。
【００６０】
このようにして、中空ボディ４は、支持構造体２０および弾性部材２１を損傷することなく、平行移動軸線Ｘの回りを相互に対して自由に回転する。
【００６１】
更に他の実施形態が図５に示してある。
【００６２】
この場合には、駆動手段９は、２つの端部中空ボディ４ａ，４ｂの外側に取り付けられた複数の入れ子状シリンダ２４を備える。
【００６３】
入れ子状シリンダ２４は、線状バネであるのが好ましい弾性手段２５を設けられ、完全に伸張する。
【００６４】
シェル２の側面に沿う１２０°の等間隔で、３つの入れ子状シリンダが設けられるのが好ましい。
【００６５】
ドラム１は、更に、中空ボディ４を閉状態に保持するために、取付手段２６（図６，７に示し、図示しないが全ての実施形態で設けられる）を備える。
【００６６】
強調すべき点は、駆動手段９は、その実施形態とは係わりなく、中空ボディ４が開状態となるように、安定平衡状態の形態を有することである。
【００６７】
駆動手段９は、端部中空ボディ４ａ，４ｂにのみ直接作用し、互いに離隔させる方向に移動させる。
【００６８】
この形態では、中央中空ボディ４ｃがアンダーカット７および肩部８により、閉状態で収容する中空ボディを外側に突出し、開状態（図１，３，４および５に示すように）に保持するように駆動される。
【００６９】
駆動手段９は、更に、ドラムが使用されているときに、軸線Ｘに沿って中空ボディ４が平行移動するのを阻止し、使用中に閉じるのを防止する。
【００７０】
取付手段２６は、駆動手段９の開方向の力に抗して中空ボディ４を閉状態に保持する。
【００７１】
特に、取付手段２６は、実質的にＣ字状で、より大きな横断面を有する端部中空ボディ４ｂであるのが好ましい中空ボディの１つに、中央部に回転可能に取付けられる少なくとも１つの取付部材２７を備える。
【００７２】
この取付部材は、平行移動軸線Ｘに実質的に平行な軸線の回りを回転することができる。
【００７３】
取付部材２７は、少なくとも、端部中空ボディに係合する（図６に示すように）保持位置と、いずれの端部中空ボディにも係合しない（図７に示すように）解放位置との間を移動可能である。
【００７４】
取付手段２７は、平行移動軸線Ｘに平行な方向に沿って摺動可能に連結された第１半片部２８と第２半片部２９とを備える。
【００７５】
第２半片部２９内での第１半片部２８の摺動は、これらの２つの半片部間で作用する安全ドエル３０で阻止される。
【００７６】
第１半片部２８は、閉状態で、第１半片部が作用する端部中空ボディ４ａの上に延びる部分３１を備え、第２半片部２９は安全ドエル３２を介して、対応する端部中空ボディ４ｂに取付けることができ、端部中空ボディ４ｂに対する第２の半片部２９の平行移動が阻止される。
【００７７】
端部中空ボディ４ａ上に第１半片部２８の部分３１を配置し、第１半片部２８を上述の安全ドエル３０の支援で第２半片部に取付け、第２半片部を上述の安全ドエル３２を介して他の端部中空ボディ４ｂに取付けると、ドラム１は閉状態に付勢される（図６参照）。
【００７８】
第２半片部２９を端部中空ボディ４ｂに保持する安全ドエル３２を解放し、取付部材２７の全体を回転すると、駆動手段９の作用で、ドラムは開状態（図７に示すように）となる。２つの半片部２８，２９の自由端が、使用中にドラム１を支持する（図７）作用をなす支持足３３を備えることが有益である。
【００７９】
特に、上記の支持足３３は、開位置を占める状態に対して取付部材が約１８０°回転することにより、ドラム１の開状態で地面に接触する。
【００８０】
ドラム１に対する４つの支点を形成するように、２つの取付部材２７が設けられることが好ましい。
【００８１】
本発明は上述の目的を達成する。
【００８２】
シェル２の入れ子状の構造は、保管および搬送中における楽器の寸法を減少することができる。
【００８３】
駆動手段９は、更に、ほぼ瞬時にかつ自動的に、楽器を開状態すなわち楽器を使用可能な状態とすることができる。
【符号の説明】
【００８４】
２…シェル、４…中空ボディ、１３…打面、Ｘ…平行移動軸線
【図１】
2010066748.tif 000003
【図２】
2010066748.tif 000004
【図３】
2010066748.tif 000005
【図４】
2010066748.tif 000006
【図５】
2010066748.tif 000007
【図６】
2010066748.tif 000008
【図７】
2010066748.tif 000009
【外国語明細書】
2010066748000001.pdf